(57)【特許請求の範囲】
【請求項１】
端末インタフェース部と１次群インタフェース部と基本インタフェース部を備え、１次群インタフェース部が１次群インタフェース回線交換網に接続され、基本インタフェース部が基本インタフェース網に接続される回線交換態様と、１次群インタフェース部が１次群インタフェース専用線に接続される専用線態様の両態様で共用可能とされる、回線交換態様または専用線態様で使用可能なターミナルアダプタにおいて、
端末インタフェース部と１次群インタフェース部の間で信号を送受信するとともに基本インタフェース部と端末インタフェース部もしくは１次群インタフェース部との間で選択的に信号を送受信する信号処理部と、
１次群インタフェース部を通過するＰＲＩ信号のタイムスロットに搭載されるデータの位置情報を保持する構成情報保持部を備え、
信号処理部が、回線接続態様においては、端末インタフェース部からの信号を１次群インタフェース部と基本インタフェース部に分割し、１次群インタフェース部と基本インタフェース部からの信号を端末インタフェース部に集め、専用線態様においては、端末インタフェース部からの信号と基本インタフェース部からの信号を１次群インタフェース部へ集め、１次群インタフェース部からの信号を端末インタフェース部と基本インタフェース部に分割する
ことを特徴とする回線交換態様または専用線態様で使用可能なターミナルアダプタ。
【請求項２】
信号処理部が行う信号の分割または信号の集合は、構成情報保持部に保持されたデータの位置情報に基づいて行うことを特徴とする請求項１に記載の回線交換態様または専用線態様で使用可能なターミナルアダプタ
【発明の詳細な説明】
【０００１】
【発明の属する技術分野】
本発明は、ＩＳＤＮ回線を用いた通信方法およびＩＳＤＮ回線を用いた通信装置、また１次群インタフェース（以下、ＰＲＩという）専用回線を用いた通信方法およびＰＲＩ専用回線を用いた通信装置に関する。
【０００２】
【従来の技術】
従来、ＰＲＩ回線交換装置とＰＲＩ専用線終端装置を共用する装置においては、ＰＲＩ回線交換装置として使用する場合(回線交換態様)は、２４ＢチャネルをＰＲＩで、２Ｂチャネルを基本インタフェース(以下、ＢＲＩという)で伝送して、データ端末装置（以下、ＤＴＥという）との接続を端末インタフェースで行なうのに対し、ＰＲＩ専用線終端装置として使用する場合（専用線態様）は、専用回線にＰＲＩを使用し、データ端末装置との接続に端末インタフェースを使用している。しかしながら、こ専用線態様では、ＢＲＩが使用されていないのでＢＲＩインタフェース部が使用されず無駄になっていた。
【０００３】
【発明が解決しようとする課題】
本発明では、ＰＲＩ回線交換およびＢＲＩ回線交換(回線交換態様)とＰＲＩ専用線終端(専用線態様)を共用する装置において、ＰＲＩ専用線終端として使用する場合、無駄になっているＢＲＩインタフェース部を、データ端末装置とのインタフェースとして使用して有効に活用することのできるターミナルアダプタ(データ回線終端装置)を提供することを目的とする。
【０００４】
【課題を解決するための手段】
本発明は、ターミナルアダプタのＢＲＩポート(ＢＲＩインタフェース部)を、回線交換態様では網側とのインタフェースとして使用し、専用線態様ではデータ端末装置とのインタフェースとして使用することにより、専用線態様では、端末インタフェースとＢＲＩインタフェースを集線して、ＰＲＩインタフェース部とクロスコネクトさせることによって、ＢＲＩポートを有効に使用するものである。
【０００５】
上記課題を解決するために、本発明は、端末インタフェース部とＰＲＩインタフェース部とＢＲＩインタフェース部を備え、ＰＲＩインタフェース部がＰＲＩ回線交換網に接続され、ＢＲＩインタフェース部がＢＲＩ回線網に接続される回線交換態様と、ＰＲＩ回線インタフェース部がＰＲＩ専用線に接続される専用線態様の両態様で共用可能とされる、回線交換態様または専用線態様で使用可能なターミナルアダプタにおいて、端末インタフェース部とＰＲＩインタフェース部の間で信号を送受信するとともにＢＲＩインタフェース部と端末インタフェース部もしくはＰＲＩインタフェース部との間で選択的に信号を送受信する信号処理部と、ＰＲＩインタフェース部を通過するＰＲＩ信号のタイムスロットに搭載されるデータの位置情報を保持する構成情報保持部を備え、信号処理部が、回線接続態様においては、端末インタフェース部からの信号をＰＲＩインタフェース部とＢＲＩインタフェース部に分割し、ＰＲＩインタフェース部とＢＲＩインタフェース部からの信号を端末インタフェース部に集め、専用線態様においては、端末インタフェース部からの信号とＢＲＩインタフェース部からの信号をＰＲＩインタフェース部へ集め、ＰＲＩインタフェース部からの信号を端末インタフェース部とＢＲＩインタフェース部に分割するようにした。
【０００６】
さらに、本発明は、上記回線交換態様または専用線態様で使用可能なターミナルアダプタにおいて、信号処理部が行う信号の分割または信号の集合を、構成情報保持部に保持されたデータの位置情報に基づいて行うようにした。
【０００７】
【発明の実施の形態】
まず、図１を用いて本発明にかかるターミナルアダプタを用いて対向するデータ端末装置間で回線交換によって通信を行なう通信態様である回線交換態様の概要を説明する。図１および図２において、添字ａは発信データ端末装置側の装置を、ｂは着信データ端末装置側の装置を示しており、添字を付さない場合はそれぞれの装置を共通して説明する場合である。
【０００８】
図１に示すように、回線交換網を介して通信する回線交換態様は、端末インタフェース５ａを介してデータ端末装置３ａが接続されたターミナルアダプタ１ａと、端末インタフェース５ｂを介してデータ端末装置３ｂが接続されたターミナルアダプタ１ｂとの間を、ＰＲＩ回線７１ａ，７１ｂが収容されるＰＲＩ回線網７(交換網)と、ＢＲＩ回線８１ａ、８１ｂが収容されるＢＲＩ回線網８(交換網)を介して接続して構成され、データ端末装置３ａ、３ｂどうしが、互いに交換網を介して通信する態様である。
【０００９】
ＰＲＩ回線７１は２４Ｂチャネルを収容する。ＢＲＩ回線８１は２Ｂチャネルを収容する。端末インタフェース５は最大２６Ｂに相当する速度でデータを転送する。ターミナルアダプタ１ａとターミナルアダプタ１ｂは、ＰＲＩ回線交換網７とＢＲＩ回線交換網８でダイヤルアップ接続される。ターミナルアダプタ１ａでは、データ端末装置３ａからの２６Ｂ相当のデータはターミナルアダプタ１ａで、２４Ｂチャネルと２Ｂチャネルに分割され、ＰＲＩインタフェース部からＰＲＩ回線７１ａへ、ＢＲＩインタフェース部からＢＲＩ回線８１ａへそれぞれ出力される。ターミナルアダプタ１ｂでは、ＰＲＩインタフェース部経由の２４ＢチャネルのデータとＢＲＩインタフェース部経由の２Ｂチャネルのデータが集められて２６Ｂ相当のデータとしてデータ端末装置３ｂへ出力される。
【００１０】
次に、図２を用いて本発明にかかるターミナルアダプタを用いて対向するデータ端末装置間でＰＲＩ専用線によって通信を行なう通信態様である専用線態様の概要を説明する。
【００１１】
図２に示すように、ＰＲＩ専用線を介して通信する専用線態様は、端末インタフェース５ａを介してデータ端末装置群３１ａが、ＢＲＩインタフェース８２ａを介してデータ端末装置３２ａが接続されたターミナルアダプタ１ａと、端末インタフェース５ｂを介してデータ端末装置群３１ｂが、ＢＲＩインタフェース８２ｂを介してデータ端末装置３２ｂが接続されたターミナルアダプタ１ｂとの間を、ＰＲＩ専用線９を介して接続して構成される。
【００１２】
ＰＲＩ専用線９は２４Ｂチャネルを収容する。端末インタフェース５は、最大２４Ｂのデータを伝送する。ＢＲＩインタフェース８２は、２Ｂチャネルのデータを伝送する。ターミナルアダプタ１ａでは、端末インタフェース部からのデータ端末装置群３１ａから受けた最大２４Ｂ相当（最大２４Ｂを使用するときは、データ端末３２ａが通信を行わないとき）のデータと、ＢＲＩインタフェース部からのデータ端末装置３２ａから受信した２Ｂのデータを併せて、２４ＢチャネルのデータとしてＰＲＩ専用線９へ送出する。ターミナルアダプタ１ｂでは、ＰＲＩ専用線９から受けた２４Ｂチャネルのデータを分割して、最大２４Ｂ相当のデータを端末インタフェース部を経由してデータ端末装置群３１Ｂへ、２ＢのデータをＢＲＩインタフェース部を経由してデータ端末装置３２ｂへ送出する。データ端末装置群３１ａ，３１ｂどうしおよびデータ端末装置３２ａ，３２ｂどうしが、それぞれ互いに通信する。
【００１３】
以下、図１の態様を、回線交換態様と称し、図２の態様を専用線態様と称する。また、図１のＢＲＩインタフェース部の態様をＮＴ（加入者系装置の持つ機能で動作する）モードと称し、図２のＢＲＩインタフェース部の態様をＴＥ（端末側として動作する）モードと称する。
【００１４】
図３を用いて、本発明にかかるターミナルアダプタ１の構成の概要を説明する。本発明にかかるターミナルアダプタ１は、端末インタフェース部１１と、信号処理部１２と、ＰＲＩインタフェース部１３と、制御部１４と、構成情報保持部１５と、ＢＲＩインタフェース部１６とを有して構成される。各構成部は、制御バス８によって接続されている。
【００１５】
端末インタフェース部１１は、図１に示す端末インタフェース５を介して接続されたデータ端末装置３もしくは、図２に示す端末インタフェース５を介して接続されたデータ端末装置群３１との間で情報をやりとりするインタフェースである。
【００１６】
信号処理部１２は、回線交換態様で、端末インタフェース部１１からのデータをＰＲＩインタフェース部１３とＢＲＩインタフェース部１６に振り分けて送り出すとともに、ＰＲＩインタフェース部１３とＢＲＩインタフェース部１６からのデータをまとめて端末インタフェース部１１へ送り出す働きと、専用線態様で、端末インタフェース部１１からのデータとＢＲＩインタフェース部１６からのデータをまとめてＰＲＩインタフェース部１３へ送り出すとともに、ＰＲＩインタフェース部１３からのデータを端末インタフェース部１１とＢＲＩインタフェース部１６へ振り分ける働きを有している。
【００１７】
ＰＲＩインタフェース部１３は、ＰＲＩ回線７１もしくはＰＲＩ専用線９から２４Ｂチャネルを収容するインターフェースである。
【００１８】
制御部１４は、ターミナルアダプタ１内の各構成要素を統括的に制御する働きを有し、信号処理部１２の働きを制御して回線交換態様と専用線態様にあわせて、各インタフェース間におけるデータの流れを制御する働きを有している。
【００１９】
構成情報保持部１５は、回線交換態様および専用線態様における各種設定情報を保持する働きを有している。
【００２０】
ＢＲＩインタフェース部１６は、ＢＲＩ回線８１またはＢＲＩインタフェース８２と双方とのインタフェースをとることが可能なインタフェース部である。
【００２１】
図４を用いて、本発明にかかるターミナルアダプタ１におけるＢＲＩインタフェース部１６の概略構成を説明する。ＢＲＩインタフェース部１６は、ＢＲＩ回線８１に接続される物理インタフェース部１６１と、物理インタフェース部１６１がＢＲＩ回線８１を介してＢＲＩ回線網８に接続されたときに回線交換態様の制御を行う回線交換態様制御部１６２と、物理インタフェース部１６１がＢＲＩインタフェース８２を介してデータ端末装置３２に接続されたとき専用線態様の制御を行う専用線態様制御部１６３と、物理インタフェース部１６１と信号処理部１２との間の経路を回線交換態様制御部１６２経由または専用線態様制御部１６３経由に切りかえる切替スイッチ１６４ａ，１６４ｂとを有して構成される。
【００２２】
回線交換態様制御部１６２は、レイヤ１処理部１６２１と、ＢＲＩ回線網８への呼制御を行う呼制御部１６２２とを有して構成される。専用線態様制御部１６３は、レイヤ１処理部１６３１と、データ端末装置３２への呼制御を行う呼制御部１６３２とを有して構成される。
【００２３】
図５のブロック図を用いて、回線交換態様におけるターミナルアダプタ１内の信号の流れを説明する。回線交換態様には、ＰＲＩ回線網７を介して通信相手のデータ端末装置３へ送られてきた、ＰＲＩインタフェース部１３に収容された２４Ｂチャネルと、ＢＲＩ回線網８を介して通信相手のデータ端末装置３へ送られてきた、ＢＲＩインタフェース部１６に収容された２Ｂチャネルのデータを、信号処理部１２において構成情報保持部１５２保持された構成情報に示される所定の順番で組み立てて最大１６６４ｋｂｐｓ（２６Ｂ相当）の信号を形成し、端末インタフェース部１１を介して、データ端末装置３に送出する。また、データ端末装置３から端末インタフェース部１１を介して送られてきた最大１６６４ｋｂｐｓ（２６Ｂ相当）の信号を、信号処理部１２において構成情報保持部１５に保持された所定の基準に従って分割し、ＰＲＩインタフェース部１３に収容された２４Ｂチャネル、およびＢＲＩインタフェース部１６に収容された２Ｂチャネルに割り当て、ＰＲＩ回線網７とＢＲＩ回線網８を介して通信相手に送出する。
【００２４】
このようにして、回線交換態様では、最大２６Ｂのデータを対向するデータ端末装置間で送受信することができる。
【００２５】
図６のブロック図を用いて、専用線態様におけるターミナルアダプタ１内の信号の流れを説明する。専用線態様では、端末インタフェース部１１には端末インタフェース５を介してデータ端末装置群３１が収容され、ＢＲＩインタフェース部１６にはＢＲＩインタフェース８２を介してデータ端末装置３２が収容され、ＰＲＩインタフェース部１３には、ＰＲＩ専用線９が収容される。
【００２６】
信号処理部１２は、ＰＲＩ専用線９を介して、通信相手のデータ端末装置から送られてきた、２４Ｂチャネルのデータを、構成情報保持部１５に設定されている、各データ端末装置３１との通信速度（以下、データ端末装置レートという。範囲は０〜１５３６ｋｂｉｔ/ｓで、６４ｋｂｉｔ/ｓが１Ｂチャネル分に相当する）、各データ端末装置との通信に使われる信号がＰＲＩ回線におけるＰＲＩ信号のタイムスロットＴＳに占める位置（以下、ＤＴＥ先頭位置という）、ＢＲＩ回線で使用するＢチャネルの数（以下、ＢＲＩ設定という。範囲は０〜２Ｂ）、ＢＲＩ通信に使われる信号がＰＲＩ回線におけるＰＲＩ信号のタイムスロットＴＳに占める位置（以下、ＢＲＩ先頭位置という）に基づいて分割し、データ端末装置群３１とデータ端末装置３２へ送出する。
【００２７】
また、信号処理部１２は、データ端末装置群３１からの最大２４Ｂに相当するデータとデータ端末装置３２からの２Ｂのデータを、構成情報保持部１５に保持された構成情報に基づいてＰＲＩ信号に搭載して２４ＢチャネルのデータとしてＰＲＩ専用線９へ送出する。
【００２８】
このようにして、専用線態様では、端末インタフェース部１１に加えてＢＲＩインタフェース部１６をデータ端末装置との接続に用いることができるので、ターミナルアダプタ１の運用に弾力性を持たせることができ、対向するデータ端末装置間で最大２４Ｂのデータを送受信することができる。
【００２９】
図７〜図１０を用いて、専用線態様における信号処理部１２から出力される(受信する)ＰＲＩ信号のタイムスロットＴＳの割り付けを説明する。図７を用いて、データ端末装置レートが２５６ｋｂｉｔ/ｓ（４Ｂ）、ＤＴＥ先頭位置が“０３”、ＢＲＩ設定が“２Ｂ”、ＢＲＩ先頭位置が“０８”の場合のＰＲＩ信号形成例を示す。ＰＲＩ信号に搭載されるデータ端末装置信号ＳＤＴＥは、タイムスロットＴＳ０３〜ＴＳ０６にあり、（タイムスロットＴＳは、ＰＲＩ信号を１Ｂ毎に時系列順に区切ったもの）、ＢＲＩ信号ＳＢＲＩはＴＳ０８〜ＴＳ０９にある。
【００３０】
信号処理部１２は、相手端末装置からＰＲＩ専用線９を介して受信したＰＲＩ信号から構成情報保持部１５に設定されている、データ端末装置レート、ＤＴＥ先頭位置、ＢＲＩ設定、ＢＲＩ先頭位置に基づいてデータ端末信号ＳＤＴＥとＢＲＩ信号ＳＢＲＩを取り出し、データ端末装置信号ＳＤＴＥを端末インタフェース部１１からデータ端末装置３１に送出し、ＢＲＩ信号ＳＢＲＩをＢＲＩインタフェース部１６からデータ端末３２に送出する。
【００３１】
構成情報保持部１５において専用線態様が設定されている場合、ＢＲＩインタフェース部１６は専用線態様として機能する。
【００３２】
また、信号処理部１２は、データ端末装置３１から端末インタフェース部１１を介して送られてきたデー端末信号ＳＤＴＥ、およびデータ端末装置３２からＢＲＩインタフェース部１６を介して送られてきたＢＲＩ信号ＳＢＲＩを、構成情報保持部１５に設定されている、データ端末装置レート、ＤＴＥ先頭位置、ＢＲＩ設定、ＢＲＩ先頭位置に基づいて所定のタイムスロットに搭載したＰＲＩ信号を形成し、ＰＲＩインタフェース部１３からＰＲＩ専用線９を介して相手に送出する。
【００３３】
図８を用いて、データ端末装置レートが５１２ｋｂｉｔ／ｓ（８Ｂ）、ＤＴＥ先頭位置が“０６”、ＢＲＩ設定が“２Ｂ”、ＢＲＩ先頭位置が“０１”の場合の信号形成例を説明する。（通常、送受信の構成情報は同じであるが、説明上別々にしている）。データ端末装置信号ＳＤＴＥは、ＰＲＩ信号のタイムスロットＴＳ０６〜ＴＳ１３に多重され、ＢＲＩ信号ＳＢＲＩは、ＰＲＩ信号のタイムスロットＴＳ０１〜ＴＳ０２に多重される。
【００３４】
以上の動作により、ターミナルアダプタを専用線態様すなわちＰＲＩ専用線終端装置として使用する場合に、無駄になっているＢＲＩのポートを有効に使用することが可能である。
【００３５】
ただし、以下のような場合においては、これらの集線、クロスコネクトは不可能である。
【００３６】
図９を用いて、データ端末装置レートが１４７２ｋｂｉｔ/ｓ（２３Ｂ）、ＤＴＥ先頭位置が“０１”、ＢＲＩ設定が“２Ｂ”、ＢＲＩ先頭位置が“２３”の場合の信号形成例を説明する。データ端末装置信号ＳＤＴＥは、ＰＲＩ信号のタイムスロットＴＳ０１〜ＴＳ２３に多重され、ＢＲＩ信号ＳＢＲＩは、ＰＲＩ信号のタイムスロットＴＳ２３〜ＴＳ２４に多重されることになる。この場合タイムスロットＴＳ２３で信号が重なってしまうので、このようにデータ端末装置レートとＢＲＩ設定の合計が２４Ｂを超える場合は、本発明の実施は不可能である。
【００３７】
図１０を用いて、データ端末装置レートが１０２４ｋｂｉｔ/ｓ（１６Ｂ）、ＤＴＥ先頭位置が“１２”、ＢＲＩ設定が“２Ｂ”、ＢＲＩ先頭位置が“０１”の場合の信号形成例を説明する。データ端末装置信号ＳＤＴＥは、ＰＲＩ信号のタイムスロットＴＳ１２〜ＴＳ２７に多重され、ＢＲＩ信号ＳＢＲＩは、ＰＲＩ信号のタイムスロットＴＳ０１〜ＴＳ０２に多重される、この場合ＰＲＩ信号はタイムスロットＴＳ２４までしかないことから、タイムスロットＴＳ２５〜ＴＳ２７に割り振られた信号は消えてしまうこととなる。したがって、データ端末装置レートとＢＲＩ設定の合計が２４Ｂを超えなくてもこのような設定をすることはできない。この場合、ＤＴＥ先頭位置を“０９”より前で“０３”より後に再設定することによって、正常な通信を行うことができる。
【００３８】
以上の説明では、端末インタフェース部１１とデータ端末装置３、３１との間を端末インタフェース５で接続する例を説明したが、端末インタフェース部１１を、端末インタフェースを介してルータに接続し、該ルターにＬＡＮ回線を介して複数台のデータ端末装置３１を接続するように構成することができる。同様に、ＢＲＩインタフェース部１６とデータ端末装置３２との間をＢＲＩインタフェース８２で接続することに代えて、ＢＲＩインタフェース部１６をＢＲＩ回線を介してデータ回線終端装置(ＤＣＥ)に接続し、データ回線終端装置に端末インタフェースを介してデータ端末装置３２を接続するように構成することができる
【００３９】
【発明の効果】
以上説明したように、本発明によれば、ＰＲＩ回線交換およびＢＲＩ回線交換装置(回線交換態様)とＰＲＩ専用線終端装置(専用線態様)を共用する装置において、従来技術ではＰＲＩ専用線終端装置として使用する場合に、使用されていないＢＲＩのポートを、設定に制限はあるものの、有効に使用することが可能である。
【図面の簡単な説明】
【図１】本発明にかかるターミナルアダプタを用いた回線交換態様の概要を説明する図。
【図２】本発明にかかるターミナルアダプタを用いた専用線態様の概要を説明する図。
【図３】ターミナルアダプタの構成の概要を説明するブロック図。
【図４】ＢＲＩインタフェース部の構成の概要を説明するブロック図。
【図５】回線交換態様における信号の流れ祖説明する図。
【図６】専用線態様における信号の流れを説明する図。
【図７】ＰＲＩ信号の搭載位置(タイムスロット割り付け)を説明する図(第１の態様)。
【図８】ＰＲＩ信号の搭載位置(タイムスロット割り付け)を説明する図(第２の態様)。
【図９】ＰＲＩ信号の搭載位置(タイムスロット割り付け)を説明する図(第３の態様)。
【図１０】ＰＲＩ信号の搭載位置(タイムスロット割り付け)を説明する図(第４の態様)。
【符号の説明】
１  ターミナルアダプタ
１１  端末インタフェース部
１２  信号処理部
１３  ＰＲＩインタフェース部
１４  制御部
１５  構成情報保持部
１６  ＢＲＩインタフェース部
１６１  物理インタフェース
１６２  回線交換態様制御部
１６３  専用線態様制御部
１６４  切替スイッチ
１８  制御バス
３  データ端末装置
５  端末インタフェース
７  ＰＲＩ回線網
７１  ＰＲＩ回線
８  ＢＲＩ回線網
８１  ＢＲＩ回線
８２  ＢＲＩインタフェース
９  ＰＲＩ専用線
【図１】
0003863439.tif 000002
【図２】
0003863439.tif 000003
【図３】
0003863439.tif 000004
【図４】
0003863439.tif 000005
【図５】
0003863439.tif 000006
【図６】
0003863439.tif 000007
【図７】
0003863439.tif 000008
【図８】
0003863439.tif 000009
【図９】
0003863439.tif 000010
【図１０】
0003863439.tif 000011